(57)【要約】【課題】本発明は、従来の住宅内でのクリーン化の限界を克服し、大気中のアレルゲン粒子の除去を所定場所において簡単に且つ効果的に行なうことのできる住宅用クリーンルームを提供することを目的とするものである。【解決手段】上記課題を解決するため、本発明は、玄関及びそれに連続するホールを閉鎖空間となるように構成し、該閉鎖空間内に強制換気手段を設けることにより該玄関・ホール空間のみを他の住宅内空間より負圧となるようにし、該空間内において身体より分離されたアレルゲン粒子を除去する住宅用クリーンルームである。【選択図】図１
2007332574.tif 000002
【特許請求の範囲】
【請求項１】
玄関及びそれに連続するホールを閉鎖空間となるように構成し、該閉鎖空間内に強制換気手段を設けることにより該玄関・ホール空間のみを他の住宅内空間より負圧となるようにし、該空間内において身体より分離されたアレルゲン粒子を除去してなることを特徴とする住宅用クリーンルーム。
【請求項２】
玄関及びそれに連続するホール内の壁又は巾木に外部の大気を取り込むスリットを形成してなることを特徴とする請求項１に記載の住宅用クリーンルーム。
【請求項３】
玄関及びそれに連続するホール内に身体に対してエアーを吹き付けることのできる吹き付け手段を設けてなることを特徴とする請求項１又は２に記載の住宅用クリーンルーム。
【発明の詳細な説明】
【技術分野】
【０００１】
本発明は、微細浮遊物、特に花粉等の微細粒子による外部から持ち込まれる住宅内の汚れや浮遊アレルゲン粒子量を大幅に減少させることのできる一般住宅等のクリーンルームに関するものである。
【背景技術】
【０００２】
近年、微粒子や微細浮遊物である花粉、タバコの煙、ダニ、埃等（以下、アレルゲン粒子という）が大気中に多く浮遊し、且つそれらが身体や衣服等に付着し、外部から住宅内へ持ち込まれている。それらアレルゲン粒子は、住宅内において就寝中を含め鼻や口或いは目等から身体に取り込まれ、鼻汁の多出、眼の痒みや痛み、咳、食欲不振、不眠、自律神経失調、うつ病等々の症状を生じるアレルギー反応を引き起こし、体調を崩し、健康な生活を損なうアレルギー患者を異常な状態で増加させている大きな要因となっている。
【０００３】
上記アレルゲン粒子を原因としたアレルギー患者は、薬剤の投与や免疫増加効果を図る体質改善等の治療手段が試みられているが、多くの患者にとっては有効な手段とはなっていないし、副作用を伴うことも多い。
また、大気中のアレルゲン粒子の身体への取り込みを極力抑えるためマスクや眼鏡等の使用並びに住宅内での空調設備や空気清浄器の設置等が行なわれているが、前者にあっては装着の煩わしさや外観上好ましいものではなく、また、後者にあっては住宅内全体の空気を清浄化するには多くの台数を設置する必要があるし、当該装置の稼動により室内の湿度や温度等の他の面への影響が生じ、抜本的な解決手段とはなっていなかった。
【０００４】
上記アレルゲン粒子を身体に取り込むことを防止するには住宅内全体のクリーン度を高めることが重要であるが、一般住宅において住宅全体にクリーンシステムを導入することは資金的或いは物理的に困難であり、且つ上記従来の空調設備や空気清浄器の単なる設置のみでは住宅内をクリーン化するには限界があった。
【特許文献１】特開平１１−１４８６９１号公報
【０００５】
また、上記文献のように、部屋全体をクリーン化する技術はあるが、それらは空調設備により強制換気をし、且つ当該場所に居住していることを前提としている技術であり、アレルゲン粒子が居住室内を飛散することになり居住者にとり劣悪な環境を生じさせている。
【発明の開示】
【発明が解決しようとする課題】
【０００６】
上記のように従来の空調設備や空気清浄器を住宅内に設置した場合、住宅内の居住空間内の大気をそれら装置の強制手段により吸い込むため、当該空間に浮遊するアレルゲン粒子を含む大気に強い乱気流を発生させ、且つ床面や壁面に付着していたアレルゲン粒子を再度飛散させることになり、それらが居住者の鼻や口等から身体に取り込まれていた。更に、住宅より排出する大気と交換して外部から住宅内へ取り込む大気中にはアレルゲン粒子が多数浮遊しており、それらアレルゲン粒子は５０μｍ以下で、主として１０μｍ以下の粒径のものが多く、それらは上記機器類に装着されたフィルターを通り抜けて住宅内へ取り込まれ、身体に吸い込まれる現象も生じている。
【０００７】
本発明は、上記欠点に鑑みてなされたもので、従来の住宅内でのクリーン化の限界を克服し、大気中のアレルゲン粒子の除去を所定場所において簡単に且つ効果的に行なうことのできる住宅用クリーンルームを提供することを目的としている。
【課題を解決するための手段】
【０００８】
本発明は、上記課題を解決したもので、玄関及びそれに連続するホールを閉鎖空間となるように構成し、該閉鎖空間内に強制換気手段を設けることにより該玄関・ホール空間のみを他の住宅内空間より負圧となるようにし、該空間内において身体より分離されたアレルゲン粒子を除去してなる住宅用クリーンルームを特徴とする。
【０００９】
また、玄関及びそれに連続するホール内の壁又は巾木に外部の大気を取り込むスリットを形成してなる住宅用クリーンルームを特徴とする。
【００１０】
更に、玄関及びそれに連続するホール内に身体に対してエアーを吹き付けることのできる吹き付け手段を設けてなる住宅用クリーンルームを特徴とする。
【発明の効果】
【００１１】
本発明により、住宅への出入口となる玄関及びそれに連続するホールのみを負圧状態とすることにより、身体に付着して外部から持ち込まれたアレルゲン粒子を当該空間において外部へ除去することができ、それらアレルゲン粒子を住宅内の他の居住空間へ持ち込むことを防止することが可能となった。
【００１２】
また、該玄関・ホール空間に外気と連通するスリットを設けることにより新鮮な大気を取り込むと同時に強制換気による負圧状態をコントロールすることが可能となった。
【００１３】
更に、該玄関・ホール空間に吹き付け手段を設けることにより、身体に付着したアレルゲン粒子を効果的に分離することが可能となった。
【発明を実施するための最良の形態】
【００１４】
以下、本発明の実施例の形態を図面に基づいて説明する。
【実施例】
【００１５】
図１は一般住宅の平面図を示しているが、この平面図において住宅への出入口となる玄関及びそれに連続するホールをクリーンルームとする。玄関は外部から住宅内に入るとき必ず通過する場所となるので、当該場所において身体或いは衣服に付着したアレルゲン粒子を除去することにより、それらの粒子が住宅内の他の居住空間に持ち込まれることがなく、室内のクリーン化を図ることが可能となる。
【００１６】
図２は玄関及びそれに連続するホール１の拡大平面図である。該玄関・ホール１は、一般住宅としての出入口機能のための出入口戸２、外部のポーチから連続する床３、該床３から履物を脱いで居住部へ上がるためのホール４、履物や雨具等を収納する下駄箱５及びコート等を収納する収納部６等の一般的な機能の他、該ホール４に玄関及びそれに連続する空間を一の閉鎖空間となる部屋を形成するための仕切手段７を設ける。該仕切手段７としては図２に示すように、側壁８に引き込むことのできる引き戸９やドア等の適宜なものが採用され、必要に応じて該玄関・ホール１を開放された空間とすることができるようにする。
【００１７】
上記玄関・ホール１の壁或いは天井等の適宜な箇所に換気機器１０を設け、該玄関・ホール１内の大気を外部へ排出することにより、該玄関・ホール１を住宅内の他の居住空間より負圧とすることが可能となり、該居住空間内の空気が該玄関・ホール１へ向かう対流を形成することになる。
【００１８】
該玄関・ホール１において身体及び衣服等を手や他の手段により叩くことによりそれらに付着しているアレルゲン粒子を分離させることができる。また、当該箇所に送風機等の吹き付け手段１１を設け、身体全体に対して該吹き付け手段１１からのエアーを吹き付けることにより、帰宅時に身体や衣服に付着して持ち込むアレルゲン粒子を吹き飛ばすことが可能となり、且つ吹き飛ばされたアレルゲン粒子は、玄関・ホール１が負圧となっているため、当該箇所から住宅内の他の居住空間ヘ移動することなく、その箇所から換気機器１０により玄関・ホール内大気とともに外部へと流出させることが可能となる。
【００１９】
また、図３に示すように、玄関・ホール１の壁或いは巾木部分に外部と連通するスリット１２を形成しておくことにより、新鮮な大気を玄関・ホール１内へ取り込むことが可能である。その際、必要に応じてスリット１２の前面に１μｍ単位の目を有する着脱自在のフィルターを設けた取り付け板１３を設けておくことにより、大気とともに取り込まれるアレルゲン粒子の多くを除去した状態での新鮮な大気を玄関・ホール１内へ取り入れることが可能となる。換気機器１０の強制換気量となる大気の排出量をスリット１２から取り込まれる大気量より大としておくことにより、該スリット１２から大気が玄関・ホール１内に入り込んでも当該箇所を常に負圧状態としておくことが可能であり、取り込まれた大気が他の居住空間ヘ移動していくこともない。
【００２０】
上記換気機器１０とスリット１２とを対向する面の上段と下段とに設けることにより、玄関・ホール１内の対流を当該空間全体に生じさせることが可能となり、効率的にアレルゲン粒子を除去することができる。しかし、その設置箇所は上記に限定するものではない。
【００２１】
また、帰宅時に玄関の外壁側や門等の適宜な外部側箇所に設けたスイッチボタン或いは玄関ドア２の外側のノブ等を仕切手段７の閉鎖及び換気機器１０の作動と連動させておくことにより、帰宅時或いは玄関ドア２を開放させたときに、上記機能が作動し、閉鎖空間が形成されると同時に換気機器１０によりアレルゲン粒子を除去する装置が作動することになり、合理的に該アレルゲン粒子を除去することが可能となる。
【図面の簡単な説明】
【００２２】
【図１】本発明の住宅用クリーンルームを採用している住宅全体の平面図。
【図２】玄関・ホール部を住宅用クリーンルームとした平面図。
【図３】壁下端にスリットを形成した状態を示す壁部の断面図。
【符号の説明】
【００２３】
１     玄関・ホール  
２     出入口戸
３     床
４     ホール
５     下駄箱
６     収納部
７     仕切手段
８     側壁
９     引き戸
１０     換気機器
１１     吹き付け手段
１２     スリット
１３     取り付け手段
【図１】
2007332574.tif 000003
【図２】
2007332574.tif 000004
【図３】
2007332574.tif 000005